(57)【要約】【課題】着用者が排泄した体液の有無を検知可能なセンシング領域を備え、該センシング領域と電気電子機器との接続をスムーズに行うことができる吸収性物品を提供すること。【解決手段】吸収性物品１が具備する裏面シート１３の非肌対向面に、着用者が排泄した体液の有無を検知可能なセンシング領域Ｓ１が設けられている。裏面シート１３の非肌対向面に、吸収性物品１とは別体の電気電子機器をセンシング領域Ｓ１に電気的に接続するために使用される接続用タブ３０が設けられている。接続用タブ３０は、一端側が裏面シート１３の非肌対向面に固定されて固定部３０ａであり、他端側が自由端部３０ｂである。【選択図】図５
2020078473.tif 000002
【特許請求の範囲】
【請求項１】
着用者の前後方向に対応する縦方向及びこれに直交する横方向を有し、液保持性の吸収体と、該吸収体の非肌対向面側に配された非導電性の裏面シートとを具備し、該裏面シートの非肌対向面にセンシング領域が設けられている吸収性物品であって、
前記裏面シートの非肌対向面に、前記吸収性物品とは別体の電気電子機器を前記センシング領域に電気的に接続するために使用される接続用タブが設けられており、
前記接続用タブは、一端側が前記裏面シートの非肌対向面に固定された固定部であり、他端側が自由端部である吸収性物品。
【請求項２】
前記センシング領域は、前記裏面シートの非肌対向面に付着した導電性材料を含んで構成され、
前記接続用タブにおける前記裏面シートの非肌対向面との固定領域を有する面に、導電性材料が付着しており、
前記接続用タブの前記固定部において、該接続用タブ及び前記裏面シートそれぞれの前記導電性材料どうしが重なっている請求項１に記載の吸収性物品。
【請求項３】
前記導電性材料が導電性インクである請求項２に記載の吸収性物品。
【請求項４】
前記接続用タブの前記固定部が、該接続用タブの縦方向の一端部である請求項１〜３の何れか１項に記載の吸収性物品。
【請求項５】
前記裏面シートの非肌対向面に外層シートが配されており、
前記外層シートにおける前記接続用タブに対応する部分に破断誘導線が設けられ、該破断誘導線に沿って該外層シートを破断することにより、前記接続用タブを露出可能になされている請求項１〜４の何れか１項に記載の吸収性物品。
【請求項６】
前記外層シートと前記接続用タブとが接合されており、且つ該接続用タブは、前記裏面シートに比して縦方向の引張強度が高い請求項５に記載の吸収性物品。
【請求項７】
前記接続用タブにおける、前記裏面シートの非肌対向面との固定領域を有する面とは反対側の面の色が、該裏面シートの非肌対向面の色と異なる請求項１〜６の何れか１項に記載の吸収性物品。
【請求項８】
前記接続用タブは、前記裏面シートの非肌対向面との固定領域を有する面とは反対側に折り返された部分を有する請求項１〜７の何れか１項に記載の吸収性物品。
【請求項９】
前記接続用タブの平面視において、前記自由端部が縦方向外方又は内方に向かって凸の凸状をなしている請求項１〜８の何れか１項に記載の吸収性物品。
【発明の詳細な説明】
【技術分野】
【０００１】
本発明は、着用者が排泄した体液の有無を検知可能なセンシング領域を備えた吸収性物品に関する。
【背景技術】
【０００２】
従来、おむつ等の着用物品に複数のセンサー素子を取り付けておき、これらのセンサー素子によって着用者による排尿の有無の検出や尿の広がりを測定する技術が知られている。例えば本出願人は、先に、電極群間のインピーダンス変化に基づいて体液の広がりを検知する排液センサーシートを取り付けた着用物品を提案している（特許文献１）。この排液センサーシートは、一面上に体液が広がったときに相互に絶縁された状態を維持する複数の電極群を備え、該電極群は、導電性繊維シートからなる複数の電極と、該電極どうしを相互に接続する導電性糸からなる導線とを含んで構成されている。
【０００３】
特許文献２には、着用者の排泄によるおむつの濡れを検知する濡れ検出システムとして、非導電性のおむつにその長手方向一端から他端にわたって平面視直線状の導電素材が敷設され、おむつの通電状態を検出する検出装置が該導電素材に電気的に接続された構成のシステムが記載されている。また特許文献２には、斯かる導電素材と検出装置との接続に関して、検出装置が具備する接続端子の強い力でおむつを挟み込んで、おむつの構成部材（表面素材、水分不透過性フィルムなど）を貫通させることで、該接続端子を導電素材に直接接触させることが好ましい旨記載されている（特許文献２の［００１７］）。
【先行技術文献】
【特許文献】
【０００４】
【特許文献１】特開２０１６−３２５２０号公報
【特許文献２】特開２００７−２９６０２４号公報
【発明の概要】
【発明が解決しようとする課題】
【０００５】
特許文献２に記載のおむつの濡れ検出システムにおいては、おむつ本体における導電素材の配置部に、おむつ本体とは別体の電気電子機器である検出装置の接続端子を直接接続するようになされており、つまり、おむつ本体と接続端子とを面接触させるようになされているところ、このような接続方式では、接続端子と接続される部分がおむつ本体のごく一部であるにもかかわらず、おむつ本体全体を動かしたり変形させたりするなどして取り扱う必要があり、接続作業が煩雑になりやすい。また、おむつ本体のどの部分に接続端子を接続させるかが一見してわかりにくく、この点も、接続作業を煩雑にする一因となり得る。着用者が排泄した体液の有無を検知可能なセンシング領域を備えた吸収性物品において、前記検出装置の如き、別体の電気電子機器との接続をよりスムーズに行うことができる技術は未だ提供されていない。
【０００６】
本発明の課題は、前述した従来技術が有する欠点を解消し得る技術を提供することに関し、具体的には、着用者が排泄した体液の有無を検知可能なセンシング領域を備え、該センシング領域と電気電子機器との接続をスムーズに行うことができる吸収性物品を提供することに関する。
【課題を解決するための手段】
【０００７】
本発明は、着用者の前後方向に対応する縦方向及びこれに直交する横方向を有し、液保持性の吸収体と、該吸収体の非肌対向面側に配された非導電性の裏面シートとを具備し、該裏面シートの非肌対向面にセンシング領域が設けられている吸収性物品であって、前記裏面シートの非肌対向面に、前記吸収性物品とは別体の電気電子機器を前記センシング領域に電気的に接続するために使用される接続用タブが設けられており、前記接続用タブは、一端側が前記裏面シートの非肌対向面に固定された固定部であり、他端側が自由端部である吸収性物品である。
【発明の効果】
【０００８】
本発明によれば、着用者が排泄した体液の有無を検知可能なセンシング領域を備え、該センシング領域と電気電子機器との接続をスムーズに行うことができる吸収性物品が提供される。
【図面の簡単な説明】
【０００９】
【図１】図１（ａ）は、本発明の吸収性物品の一実施形態である尿取りパッドの肌対向面側の模式的な平面図、図１（ｂ）は、該尿取りパッドの非肌対向面側の模式的な平面図である。
【図２】図２は、図１（ａ）のＩ−Ｉ線断面を模式的に示す横断面図である。
【図３】図３は、図１（ｂ）のＩＩ−ＩＩ線断面を模式的に示す横断面図である。
【図４】図４は、図１に示す尿取りパッドにおけるセンシング領域の模式的な平面図である。
【図５】図５は、図１に示す尿取りパッドの非肌対向面側の模式的な斜視図である。
【図６】図６は、図５のＩＩＩ−ＩＩＩ線断面を模式的に示す縦断面図である。
【図７】図７は、本発明に係る接続用タブの他の実施形態の模式的な縦断面図（図６相当図）であり、図７（ａ）は接続用タブの未使用状態を示し、図７（ｂ）は接続用タブの使用可能状態を示す。
【図８】図８は、本発明に係る接続用タブの更に他の実施形態の模式的な縦断面図（図６相当図）であり、図８（ａ）は接続用タブの未使用状態を示し、図８（ｂ）は接続用タブの使用可能状態を示す。
【図９】図９は、本発明の吸収性物品の他の実施形態である尿取りパッドの非肌対向面側の模式的な平面図（図１（ｂ）相当図）である。
【図１０】図１０は、本発明の吸収性物品の更に他の実施形態である尿取りパッドの非肌対向面側の模式的な平面図（図１（ｂ）相当図）である。
【発明を実施するための形態】
【００１０】
以下、本発明をその好ましい実施形態に基づき図面を参照しながら説明する。図１〜図３には、本発明の吸収性物品の一実施形態である尿取りパッド１が示されている。尿取りパッド１は、図１に示すように、着用者の前後方向に対応し、着用者の腹側から股間部を介して背側に延びる縦方向Ｘと、これに直交する横方向Ｙとを有し、液保持性の吸収体１４と、該吸収体１４の非肌対向面側に配された非導電性（絶縁性）の裏面シート１３とを具備する。裏面シート１３の非肌対向面には、着用者が排泄した尿等の体液の有無を検知可能なセンシング領域Ｓ１が設けられている。
【００１１】
本明細書において、「肌対向面」は、吸収性物品又はその構成部材（例えば吸収体１４）における、吸収性物品の着用時に着用者の肌側に向けられる面、すなわち相対的に着用者の肌に近い側であり、「非肌対向面」は、吸収性物品又はその構成部材における、吸収性物品の着用時に肌側とは反対側（着衣側）に向けられる面、すなわち相対的に着用者の肌から遠い側である。なお、ここでいう「着用時」は、通常の適正な着用位置、すなわち当該吸収性物品の正しい着用位置が維持された状態を意味する。
【００１２】
本実施形態において尿取りパッド１は、図１〜図３に示すように、尿取りパッド１の主体をなす吸収性本体１０を具備する。そして、吸収性本体１０が、表面シート１２と、裏面シート１３と、両シート１２，１３間に介在配置された吸収体１４とを具備する。表面シート１２は、尿取りパッド１の肌対向面を形成する。尿取りパッド１は、該パッド１を横方向Ｙに二等分して縦方向Ｘに延びる縦中心線ＣＬに対してほぼ左右対称の形状を有している。
【００１３】
裏面シート１３の非肌対向面側には、センシング領域Ｓ１（センサー領域Ｓ）及び後述する接続用タブ３０を被覆する外層シート１５が配されている。外層シート１５は、尿取りパッド１の非肌対向面を形成する。本実施形態においては、図２に示すように、裏面シート１３の非肌対向面の一部、具体的には周縁部を除く部分の全域が外層シート１５で被覆されているが、裏面シート１３の非肌対向面の全域が外層シート１５で被覆されていてもよい。表面シート１２、吸収体１４、裏面シート１３及び外層シート１５は、ホットメルト接着剤、ヒートシール、超音波シール等の公知の接合手段によって互いに接合されている。
【００１４】
前述した各種シート１２，１３，１５としては、それぞれ、当該技術分野において従来用いられている各種のものを特に制限なく用いることができる。表面シート１２としては液透過性シートが好ましく、具体的には例えば、公知の各種製法により製造された単層又は多層構造の不織布、開孔フィルム等が挙げられる。裏面シート１３としては、非導電性（絶縁性）であることを前提として、液不透過性シートが好ましく、具体的には例えば、樹脂フィルムが挙げられ、該樹脂フィルムは透湿性でもよい。なお、裏面シート１３に関し、液不透過性とは、液を全く通さない性質と、少量ではあるが液を通す性質（液難透過性）との両方を含む概念である。裏面シート１３は撥水性を有していてもよい。外層シート１５は、良好な通気性及び肌触りを得る観点から、各種製法により製造された不織布から構成されていることが好ましい。
【００１５】
尿取りパッド１は、股下部Ｍ並びにその前後に位置する前方部Ｆ及び後方部Ｒを有している。股下部Ｍは、尿取りパッド１（吸収性本体１０）を縦方向Ｘに三分して３つの領域に区分した場合の中央の領域であり、尿取りパッド１の着用時に着用者の排泄部（ペニス等）と対向する部分である排泄部対向部を含む。前方部Ｆは、着用時に股下部Ｍよりも着用者の腹側（前側）に配され、後方部Ｒは、着用時に股下部Ｍよりも着用者の背側（後側）に配される。股下部Ｍは、図１に示すように、吸収性本体１０において横方向Ｙの長さ（幅）が最小の部分である括れ部を有し、前方部Ｆ及び後方部Ｒは、それぞれ、該括れ部よりも幅広の部分を有している。また後方部Ｒは、前方部Ｆよりも幅広の部分を有している。なお、尿取りパッド１の前後方向は便宜的なものであり、使用の実態に応じて方向を逆にして使用することもできる。例えば、尿取りパッド１を男性が使用する場合、漏れを防止するために尿取りパッド１の後方部Ｒを、着用時に股下部Ｍよりも着用者の腹側に、且つ前方部Ｆを股下部Ｍよりも着用者の背側に配されるよう着用してもよい。
【００１６】
吸収性本体１０及び吸収体１４は、図１（ａ）及び（ｂ）に示すように、尿取りパッド１の平面視において縦方向Ｘに長い縦長の形状を有している。図２に示すように、表面シート１２は、吸収体１４の肌対向面を被覆している。裏面シート１３は、吸収体１４の非肌対向面の全域を被覆し、更に吸収体１４の縦方向Ｘに沿う両側縁それぞれから横方向Ｙの外方に延出する延出部を有し、その延出部において、後述するサイドシート１６ｂと、ホットメルト接着剤、ヒートシール、超音波シール等の公知の接合手段によって接合されている。
【００１７】
吸収体１４は、主たる吸液部位であり、図２及び図３に示すように、尿等の体液を吸収して保持する機能を有する吸収性コア４０と、該吸収性コア４０を被覆するコアラップシート１７ａ,１７ｂとを有している。吸収性コア４０は、その肌対向面の全域が、肌対向面側コアラップシート１７ａによって被覆されており、且つ非肌対向面の全域が、非肌対向面側コアラップシート１７ｂによって被覆されている。非肌対向面側コアラップシート１７ｂは、吸収性コア４０から横方向Ｙの外方に延出する延出部を有し、その延出部が肌対向面側に巻き上げられて、肌対向面側コアラップシート１７ａと重なっている。これらコアラップシート１７ａ，１７ｂと吸収性コア４０とは、接着剤等の公知の接合手段により互いに接合されている。コアラップシート１７ａ,１７ｂとしては、それぞれ、液透過性のシートを用いることができ、例えば、ティッシュペーパー等の紙や各種不織布、メッシュシート、開孔フィルム等を用いることができる。なお、吸収性コア４０は、１枚のコアラップシートで被覆されていてもよい。また、吸収性コア４０はコアラップシートで被覆されていなくてもよい。
【００１８】
吸収性コア４０は、吸水性材料を主体として構成されている。本実施形態において吸収性コア４０は、吸水性材料として図２及び図３に示すように、繊維材料４１及び吸水性ポリマー４２を含んでいる。繊維材料４１としては、木材パルプ等の天然セルロース繊維、親水性合成繊維等、当該技術分野において従来用いられている各種のものを特に制限なく用いることができ、繊維材料の１種を単独で又は２種以上を組み合わせて用いることができる。吸水性ポリマー４２としては、一般に粒子状のものが用いられるが、繊維状のものでもよい。粒子状の吸水性ポリマーの形状は特に限定されず、例えば、球状、塊状、俵状、不定形状であり得る。吸水性ポリマーは、典型的には、アクリル酸又はアクリル酸アルカリ金属塩の重合物又は共重合物を主体とする。
【００１９】
図１〜図３に示すように、吸収性本体１０の縦方向Ｘに沿う左右両側部には、少なくとも股下部Ｍにおいて着用時に着用者の肌側に向かって起立する部分を有する一対の防漏カフ１６，１６が設けられている。一対の防漏カフ１６，１６は、それぞれ、横方向Ｙの外方側（縦中心線ＣＬから相対的に遠い側）に位置する外側縁部と、横方向Ｙの内方側（縦中心線ＣＬから相対的に近い側）に位置する内側縁部とを有し、該内側縁部に弾性部材１６ａが配されている。防漏カフ１６は、サイドシート１６ｂを主体として構成され、弾性部材１６ａは、サイドシート１６ｂに伸長状態で固定されている。サイドシート１６ｂは、図１（ａ）に示すように、吸収性本体１０の縦方向Ｘの略全長にわたって、吸収性本体１０の縦方向Ｘに沿う側部に沿って配されており、吸収性本体１０の肌対向面すなわち表面シート１２の肌対向面が、サイドシート１６ｂによって被覆されている。また、サイドシート１６ｂは、図２に示すように、吸収性本体１０の縦方向Ｘに沿う側縁から横方向Ｙの外方へ延出し、その延出部が裏面シート１３と接合されている。前方部Ｆ及び後方部Ｒそれぞれには、防漏カフ１６の前記内側縁部（弾性部材１６ａの配置部）が表面シート１２に固定されることで防漏カフ１６の起立が阻害された、起立阻害部１６ｃが形成されており（図３参照）、これにより、防漏カフ１６における前方部Ｆの起立阻害部１６ｃと後方部Ｒの起立阻害部１６ｃとに挟まれた部分が、弾性部材１６ａの収縮力により、図２に示すように、吸収性本体１０側を基端とし該内側縁部を自由端として起立し得る。尿取りパッド１の着用中に一対の防漏カフ１６，１６がこのように起立することで、尿取りパッド１の肌対向面に排泄された尿等の体液の漏れが効果的に防止される。弾性部材１６ａ及びサイドシート１６ｂとしては、それぞれ、当該技術分野において従来用いられている各種のものを特に制限なく用いることができる。
【００２０】
図１（ｂ）に示すように、裏面シート１３の非肌対向面には、着用者が排泄した尿等の体液の有無を検知可能なセンシング領域Ｓ１が設けられている。図４には、センシング領域Ｓ１を含むセンサー領域Ｓが示されている。センサー領域Ｓは、センシング領域Ｓ１を構成する複数の電極２１と、該複数の電極２１に接続された導線部２３と、外部の電圧供給装置が接続される接続端子部２４とを含んで構成されている。
【００２１】
本実施形態におけるセンサー領域Ｓは、図４に示すように、裏面シート１３の非肌対向面に形成された複数の電極２１として、複数の正電極２１ａ及び複数の負電極２１ｂを有している。センサー領域Ｓは、その長手方向（図中方向Ｘ）に沿って複数の正電極２１ａどうしが導線部２３を介して接続された正電極列２２ａと、長手方向に沿って複数の負電極２１ｂどうしが導線部２３を介して接続された負電極列２２ｂとを有している。本実施形態において、センサー領域Ｓは、２列の負電極列２２ｂが、長手方向と直交する方向（図中方向Ｙ）に隣り合う２列の正電極列２２ａを挟むように配されている。センサー領域Ｓは、その長手方向に複数個の正電極２１ａ及び負電極２１ｂを有していることが好ましく、同方向に正電極２１ａ及び負電極２１ｂがそれぞれ４〜１２個並んでいることがより好ましい。ここで、センサー領域Ｓの長手方向は、尿取りパッド１の縦方向Ｘと一致し、センサー領域Ｓの長手方向と直交する方向（以下、幅方向ともいう）は、尿取りパッド１の横方向Ｙと一致する。以下、尿取りパッド１及びセンサー領域Ｓの何れについても、尿取りパッド１の縦方向Ｘと一致する方向を「縦方向Ｘ」、尿取りパッド１の横方向Ｙと一致する方向を「横方向Ｙ」ともいう。
【００２２】
２列の正電極列２２ａは、縦方向Ｘの両端部において、導線部２３を介して接続端子部２４ａに接続されている。すなわち、縦方向Ｘの両端部それぞれにおいて、２列の正電極２１ａが１個の接続端子部２４ａを共用している。また、２列の負電極列２２ｂは、それぞれ、縦方向Ｘの両端部において、導線部２３を介して接続端子部２４ｂに接続されている。このように、本実施形態においては、１列の負電極列２２ｂにつき、２個の接続端子部２４ｂが接続されている。以下、正電極列２２ａと接続している接続端子部２４ａと、負電極列２２ｂと接続している接続端子部２４ｂとを纏めて「接続端子部２４」ともいう。
【００２３】
正電極列２２ａと接続された導線部２３の一端部は、該正電極列２２ａの縦方向Ｘの両端部側それぞれにおいて、該縦方向Ｘの端部側に設けられた接続端子部２４ａに接続されている。また、負電極列２２ｂの縦方向Ｘの両端部側それぞれにおいて、該負電極列２２ｂと接続された導線部２３の一端部は、該縦方向Ｘの端部側に設けられた接続端子部２４ｂに接続されている。本実施形態の正電極２１ａどうし及び負電極２１ｂどうしは、図４に示すように、導線部２３を介してそれぞれ直列で接続されているが、並列で接続されていてもよい。
【００２４】
複数の負電極２１ｂは、接続端子部２４ｂを介してアースされていることが好ましい。センサー領域Ｓにおいて横方向Ｙの外方に配置された複数の負電極２１ｂをアースすることにより、センサー領域Ｓは、外部ノイズの侵入を軽減することができ、測定精度を向上させることが可能になる。
【００２５】
正電極列２２ａ及び負電極列２２ｂは、図４に示すように、同形の矩形形状の電極２１を、縦方向Ｘに沿って間隔を空けて、それぞれ４個有している。また、正電極列２２ａ及び負電極列２２ｂは、図４に示すように、縦方向Ｘに隣り合って配置されており、正電極２１ａと負電極２１ｂとが、縦方向Ｘに沿って交互に配置されている。
【００２６】
前述の如き構成のセンサー領域Ｓにおいて、正電極２１ａ及び負電極２１ｂが配された領域がセンシング領域Ｓ１であり、着用者が排泄した尿等の体液の有無を検知し得る領域である。センシング領域Ｓ１は、図４に示すように、センサー領域Ｓを構成する電極２１の全部を包含する平面視四角形形状の領域のうち、面積が最小の領域である。すなわちセンシング領域Ｓ１は、縦方向Ｘの最前方に位置する電極２１の縦方向Ｘの前側端から最後方に位置する電極２１の縦方向Ｘの後側端までを縦方向長さとし、横方向Ｙの一方側の最外方に位置する電極２１の同方向最外方端から他方側の最外方に位置する電極２１の同方向最外方端までを横方向長さとする、平面視四角形の範囲である。本実施形態においてセンサー領域Ｓは、図１（ｂ）に示すように、前方部Ｆから後方部Ｒにわたって縦方向Ｘに延在している。
【００２７】
本実施形態においては、センシング領域Ｓ１を含むセンサー領域Ｓは、非導電性の裏面シート１３の非肌対向面に付着した、導電性材料２０を含んで構成されている。すなわち、センサー領域Ｓ（センシング領域Ｓ１）を構成する正電極２１ａ、負電極２１ｂ、接続端子部２４ａ,２４ｂ及び導線部２３は、それぞれ、導電性材料２０からなる。導電性材料２０からなる正電極２１ａ等のセンサー領域Ｓの各部は、典型的には、裏面シート１３の非肌対向面に積層された導電層の形態をなす。本発明においては、センサー領域Ｓの構成部材として、電気電子機器としてのセンサーを用いることも可能であるが、その場合は、吸収性物品に電気電子機器としてのセンサーが組み込まれるために全体として嵩張り、柔軟性が低下して着用感の低下を招くおそれがある。これに対し、センサー領域Ｓが導電性材料２０によって構成されていることで、電気電子機器としてのセンサーを用いる場合に懸念される不都合が払拭される。
【００２８】
センサー領域Ｓを構成する導電性材料２０としては、例えば、導電性インク、導線糸、導電性シート、導電性テープ、導電布、導電性メッシュ、導電性両面テープ、金属箔等が挙げられ、これらの１種を単独で又は２種以上を組み合わせて用いることができる。裏面シート１３の非肌対向面に導電性材料２０を付着させる方法は、使用する導電性材料の種類等に応じて適宜選択すればよく、例えば、導電性材料として導電性インクを用い、印刷により付着させる方法、導電性材料を蒸着させる方法などが挙げられる。特に、導電性インクを印刷により付着させる方法が好ましい。すなわち、導電性材料２０としては導電性インクが好ましい。例えば、導電性材料２０として導線糸や導電性シートを用いた場合は、尿取りパッド１の製造時に、それらを裏面シート１３の非肌対向面の所定位置に精度よく付着させることが比較的難しいのに対し、導電性材料２０として導電性インクを用いた場合は、印刷によって高精度且つ容易に導電性インクを裏面シート１３の非肌対向面の所定位置に付着させることが可能となり、製造工程の簡素化、製造コストの低廉化を図ることが可能となる。裏面シート１３の非肌対向面に導電性インクを印刷により付着させる場合の印刷方法は特に制限されず、例えば、インクジェット印刷、ロータリー印刷、フレキソ印刷、スクリーン印刷、グラビア印刷等が挙げられる。
【００２９】
導電性インクとしては、少なくとも導電性材料及び液媒体を含有し、更に必要に応じ、分散剤、バインダ、樹脂、硬化剤等を含有するものを用いることができる。導電性物質としては、例えば、銀や銅等の金属粉末、カーボン粉末（カーボンブラック）等が挙げられ、これらの１種を単独で又は２種以上を組み合わせて用いることができる。液媒体としては、常圧における沸点が８０℃以上１００℃以下のものを用いることが好ましく、具体的には例えば、ドデカン、テトラデカン、テルピネオール、ｎ−ヘプタン、ＰＧＭＥＡ等の有機溶媒、水、水溶性溶媒、又はこれらの混合物が挙げられる。導電性インクにおける液媒体の含有量は、該インクの全質量に対して、好ましくは１０質量％以上８０質量％以下である。
【００３０】
センシング領域Ｓ１は、後述する接続用タブ３０を介してセンサー領域Ｓに接続された電気電子機器（電圧供給装置）から所定の電圧が印加されることにより、尿取りパッド１の着用者が排泄した尿等の体液の有無を検知することができる。なお、本段落において、以下、体液を尿として説明する。具体的には、隣り合う正電極２１ａ及び負電極２１ｂが、センシング領域Ｓ１における尿が無い状態と尿がある状態とのインピーダンスの変化を検知する。例えば、尿が無い状態での電圧値及び尿がある状態での電圧値における、隣り合う正電極２１ａ及び負電極２１ｂ間の静電容量等のインピーダンスの変化に基づいて尿の有無を検出する。このような検知には、接続端子部２４ａ,２４ｂを介して、時間と共に周期的に変化するような電圧（交流電圧）をセンシング領域Ｓ１に印加し、高周波のインピーダンスを検出する検出方法が好ましい。また、センシング領域Ｓ１は、尿の有無によるインピーダンスの変化を検知した各電極の位置に基づいて、尿の広がりを検知することもできる。尿の広がりを検知すると、その測定値を所定の計算式で演算することで、尿の吸収量や排尿量等を求めることができる。
【００３１】
そして、尿取りパッド１においては、排泄された体液を吸収保持する吸収体１４に隣接する裏面シート１３に、センシング領域Ｓ１を含むセンサー領域Ｓが設けられており、検知対象の体液が存在する吸収体１４と、体液を検知するセンシング領域Ｓ１との離間距離が比較的短い。また、センサー領域Ｓが非導電性（絶縁性）の外層シート１５で被覆されているため、電極２１や導線部２３でのノイズの発生が効果的に抑制される。これらの構成が相俟って、尿取りパッド１は、着用者が排泄した尿等の体液の有無、尿の広がりなどを高精度で検知することができる。
【００３２】
後述する接続用タブ３０を介してセンシング領域Ｓ１に電気的に接続される電気電子機器としては、尿取りパッド１とは別体であって、センシング領域Ｓ１に電圧を供給し得るものが好ましく用いられる。つまり、前記電気電子機器としては、電圧供給装置を例示できる。また、前記電気電子機器は、電圧供給機能以外の他の機能を有していてもよい。「電圧供給機能以外の他の機能を有する構成」として、例えば、インピーダンス検出部、インピーダンス変化データを保存するデータロガー、時刻データを出力するタイマー等が挙げられ、前記電気電子機器は、これら構成の一部又は全部を有していてもよい。前記インピーダンス検出部は、複数の正電極２１ａ及び負電極２１ｂ間のインピーダンス変化を検出する機能を備えている。前記インピーダンス検出部は、所定の周波数信号を発振する発振器と、該発振器からの周波数信号を用いて複数の正電極２１ａ及び負電極２１ｂ間のインピーダンス変化を検知するインピーダンス変化検出回路と、インピーダンス変化検出回路で検出されたインピーダンス変化を電圧変化データに変換するインピーダンス変化電圧変換部とを含んで構成されていることが好ましい。
【００３３】
センシング領域Ｓ１によって尿の有無などを精度よく検知する観点から、センシング領域Ｓ１を含むセンサー領域Ｓの各部の寸法等は以下のように設定することが好ましい。
センシング領域Ｓ１の縦方向Ｘの長さＬ１（図４参照）は、吸収体１４の同方向の長さに対して、好ましくは４０％以上、より好ましくは５０％以上、そして、好ましくは９５％以下、より好ましくは９０％以下である。
センシング領域Ｓ１の横方向Ｙの長さすなわち幅Ｗ１（図４参照）は、吸収体１４の同方向の最大長さ（最大幅）に対して、好ましくは６０％以上、より好ましくは８０％以上、さらに好ましくは１００％である。センシング領域Ｓ１の幅Ｗ１に関しては、特に股下部Ｍにおいて、吸収体１４の幅との関係で斯かる範囲にあることが好ましい。
センシング領域Ｓ１の面積は、吸収体１４の面積に対して、好ましくは６０％以上、より好ましくは７５％以上、更に好ましくは８０％以上である。
【００３４】
電極２１の縦方向Ｘの長さＬ１０（図４参照）は、センシング領域Ｓ１の同方向の長さＬ１に対して、好ましくは４％以上２０％以下である。また、電極２１の縦方向Ｘの長さＬ１０は、好ましくは１０ｍｍ以上４０ｍｍ以下である。
電極２１の横方向Ｙの長さＷ１０（図４参照）は、センシング領域Ｓ１の同方向の最大長さ（幅Ｗ１の最大値）に対して、好ましくは１０％以上４０％以下である。長さＷ１０（図３参照）は、好ましくは１０ｍｍ以上であり、また、電極２１の横方向Ｙの長さＷ１０は、好ましくは１０ｍｍ以上６０ｍｍ以下である。
縦方向Ｘにおける電極２１間の距離Ｌ１３（図４参照）は、電極２１の同方向の長さＬ１０に対して、好ましくは１５％以上８０％以下である。
横方向Ｙに隣り合う正電極列２２ａと負電極列２２ｂとは、同方向において重なっている。横方向Ｙに隣り合う正電極列２２ａと負電極列２２ｂとの非重複部分の長さＷ１３（図４参照）は、電極２１の同方向の長さＷ１０に対して、好ましくは１％以上３０％以下である。
【００３５】
正電極列２２ａと接続している接続端子部２４ａの縦方向Ｘの長さＬ１５（図４参照）は、好ましくは１０ｍｍ以上、より好ましくは１５ｍｍ以上、そして、好ましくは８０ｍｍ以下、より好ましくは６０ｍｍ以下である。
正電極列２２ａと接続している接続端子部２４ａの横方向Ｙの長さＷ１５（図４参照）は、好ましくは１０ｍｍ以上、より好ましくは１５ｍｍ以上、そして、好ましくは３０ｍｍ以下、より好ましくは２５ｍｍ以下である。
負電極列２２ｂと接続している接続端子部２４ｂの縦方向Ｘの長さＬ１７（図４参照）は、好ましくは１０ｍｍ以上、より好ましくは１５ｍｍ以上、そして、好ましくは８０ｍｍ以下、より好ましくは６０ｍｍ以下である。
負電極列２２ｂと接続している接続端子部２４ｂの横方向Ｙの長さＷ１７（図４参照）は、好ましくは８ｍｍ以上、より好ましくは１２ｍｍ以上、そして、好ましくは３０ｍｍ以下、より好ましくは２５ｍｍ以下である。
【００３６】
尿取りパッド１には、図１（ｂ）、図３、図５及び図６に示すように、裏面シート１３の非肌対向面すなわち吸収体１４との対向面とは反対側の面に、尿取りパッド１とは別体の電圧供給装置などの電気電子機器（図示せず）をセンシング領域Ｓ１に電気的に接続するために使用される接続用タブ３０が設けられている。接続用タブ３０は、一端側が裏面シート１３の非肌対向面に固定された固定部３０ａであり、他端側が自由端部３０ｂである。接続用タブ３０は、裏面シート１３とは別体である。
【００３７】
接続用タブ３０は、センサー領域Ｓの接続端子部２４ａ,２４ｂに対応して設けられている。本実施形態において接続端子部２４ａ,２４ｂは、尿取りパッド１の縦方向Ｘの前後端部それぞれの横方向Ｙの中央部に設けられているので、接続用タブ３０も同位置に設けられており、図１（ｂ）及び図５に示すように、前方部Ｆ及び後方部Ｒに一対設けられている。これら一対の接続用タブ３０，３０は、基本的に互いに同様に構成されている。
【００３８】
本実施形態においては、図１（ｂ）及び図５に示すように、接続用タブ３０の固定部３０ａは、該接続用タブ３０の縦方向Ｘの一端部である。より具体的には、接続用タブ３０は、図１（ｂ）に示す如き平面視において正方形形状ないし長方形形状をなし、その互いに直交する二辺のうちの一方を縦方向Ｘに、他方を横方向Ｙに一致させて、裏面シート１３の非肌対向面に配され、且つ縦方向Ｘの一端側が裏面シート１３の非肌対向面に固定されて固定部３０ａとされ、縦方向Ｘの他端側が自由端部３０ｂとされている。接続用タブ３０の固定部３０ａは、センサー領域Ｓの接続端子部２４ａ,２４ｂと重なっている。尿取りパッド１においては、固定部３０ａが縦方向Ｘの内方側（尿取りパッド１の縦方向Ｘの中央から相対的に近い側）、自由端部３０ｂが縦方向Ｘの外方側（尿取りパッド１の縦方向Ｘの中央から相対的に遠い側）に位置している。
【００３９】
裏面シート１３の非肌対向面における接続用タブ３０の配置部分（以下、「接続用タブ対応部」ともいう。）には、図５及び図６に示すように、導電性材料２０が付着している。前記接続用タブ対応部の導電性材料２０の付着部は、センサー領域Ｓの接続端子部２４ａ,２４ｂと同数設けられており、本実施形態においては、平面視において縦方向Ｘに延びる直線状の３個の導電性材料２０の付着部が横方向Ｙに間欠配置され、いわゆるストライプ状に配置されている。この裏面シート１３の前記接続用タブ対応部の非肌対向面の３個の導電性材料２０の付着部は、それぞれ、縦方向Ｘの一端が接続端子部２４ａ,２４ｂに接続され、他端が尿取りパッド１の縦方向Ｘの端に位置しており、接続端子部２４ａ,２４ｂからその近傍の尿取りパッド１の縦方向Ｘの端にわたって縦方向Ｘに延在している。
【００４０】
一方、接続用タブ３０は、裏面シート１３の非肌対向面との固定領域（固定部３０ａにおける裏面シート１３との対向面）を有する面（以下、「内面」ともいう。）と、該内面とは反対側の面（以下、「外面」ともいう。）を有しているところ、接続用タブ３０の内面には、図３、図５及び図６に示すように、導電性材料２０が付着している。この接続用タブ３０の内面に付着している導電性材料２０は、前述した裏面シート１３の非肌対向面に付着している導電性材料２０、すなわちセンサー領域Ｓの接続端子部２４ａ,２４ｂ等の各部を構成する導電性材料２０と同じであり、特に断らない限り、前記説明が適宜適用される。接続用タブ３０の内面の導電性材料２０の付着部は、裏面シート１３の前記接続用タブ対応部の導電性材料２０の付着部と同様のストライプ状のパターンで配置されており、具体的には、平面視において接続用タブ３０の内面の縦方向Ｘの全長にわたって縦方向Ｘに延びる直線状の３個の導電性材料２０の付着部が、横方向Ｙに間欠配置されている。この接続用タブ３０の内面の３個の導電性材料２０の付着部は、前述した裏面シート１３の前記接続用タブ対応部の非肌対向面の３個の導電性材料２０の付着部と１対１で対応しており（図３及び図５参照）、また、横方向Ｙにおいて互いに離間していることで、互いに電気的に独立している。そして、図３、図５及び図６に示すように、接続用タブ３０の固定部３０ａにおいて、接続用タブ３０及び裏面シート１３それぞれの導電性材料２０どうしが重なっている。
【００４１】
接続用タブ３０の内面の導電性材料２０の付着部の幅（横方向Ｙの長さ）は、裏面シート１３の前記接続用タブ対応部の導電性材料２０の付着部の幅に比して長いことが好ましい。斯かる構成により、仮に接続用タブ３０の位置が所定の配置位置から多少ずれた場合でも、接続用タブ３０と裏面シート１３（前記接続用タブ対応部）とが導電性材料２０を介して電気的に接続されているため、電気電子機器の接続不良が防止される。
【００４２】
前述したように、尿取りパッド１においては、接続用タブ３０の内面の導電性材料２０と、センサー領域Ｓの電極２１等の各部を構成する導電性材料２０とが電気的に繋がっている。したがって、電圧供給装置などの電気電子機器をセンシング領域Ｓ１に電気的に接続する場合には、図５及び図６に示すように、接続用タブ３０の自由端部３０ｂが裏面シート１３の非肌対向面から離間した状態、すなわち接続用タブ３０の自由端部３０ｂ側が起立した状態で、電気電子機器の接続端子を自由端部３０ｂに取り付けるだけでよい。このような、センシング領域Ｓ１が設けられている裏面シート１３とは別体の接続用タブ３０を、電気電子機器との接続部とすることで、裏面シート１３（吸収性本体１０）と電気電子機器の接続端子とを面接触させる従来の接続方式に比して、接続作業をよりスムーズに行うことが可能となる。仮に、裏面シート１３を縦方向Ｘの外方に延出させ、その裏面シート１３の延出部を電気電子機器との接続用タブとして構成した場合、裏面シート１３はそもそもそのような接続部材として想定されたものではないため、強度不足により電気電子機器との接続が困難となり、該裏面シート１３の延出部に電気電子機器の接続端子を無理に接続させれば、該接続端子がぶら下がるなどして不安定な状態となるおそれがある。
【００４３】
接続用タブ３０の裏面シート１３への固定手段は特に制限されず、この種の吸収性物品において部材の固定に利用されている手段を適宜採用することができ、例えば、ホットメルト接着剤などの接着剤、熱融着等が挙げられる。電気電子機器の接続不良を確実に防止する観点から、接着剤よりも熱融着の方が好ましい。接着剤を使用すると、接着剤の塗布の態様によっては、導電性材料２０が接着剤によって被覆され、電気電子機器の接続不良に繋がるおそれがある。接続用タブ３０と裏面シート１３との熱融着は、常法に従って行うことができ、例えば、熱若しくは超音波を伴う圧搾加工により行うことができる。接続用タブ３０の裏面シート１３への固定手段として接着剤を用いる場合は、両者の接触部分全体に接着剤をべた塗りするのではなく、該接触部分に接着剤の非塗布部が分散配置されるような間欠的なパターンで塗布することが好ましく、そのような接着剤の塗布パターンとして、例えば、ビード状パターン、オメガ状パターン、スパイラルパターン等が挙げられる。また、接着剤を介して接続用タブ３０を裏面シート１３に固定し、更に両者を圧着すると、接着剤による導電性材料２０の被覆が防止されやすく、電気電子機器の接続不良を防止しやすい。
【００４４】
接続用タブ３０における固定部３０ａとそれ以外の部分との境界には、折り目（図示せず）が設けられていることが好ましい。この折り目は、例えば、接続用タブ３０の横方向Ｙの全長にわたって横方向Ｙに延びる直線状をなすものとすることができる。接続用タブ３０にこのような折り目を設けることで、接続用タブ３０の自由端部３０ｂ側の起立が一層容易になり、電気電子機器の接続作業をより一層スムーズに行うことが可能となる。
【００４５】
本実施形態においては、前述したように、裏面シート１３の非肌対向面に、少なくとも接続用タブ３０を被覆し、更にはセンシング領域Ｓ１（センサー領域Ｓ）を被覆する外層シート１５が配されているところ（図３等参照）、図１（ｂ）及び図５に示すように、外層シート１５における接続用タブ３０に対応する部分（平面視において接続用タブ３０と重なる部分、又は接続用タブ３０の周辺部分）に破断誘導線３５が設けられており、この破断誘導線３５に沿って外層シート１５を破断することにより、接続用タブ３０を露出可能になされている。ここでいう、「接続用タブ３０を露出可能になされている」には、接続用タブ３０が露出するだけでなく、その露出した接続用タブ３０の自由端部３０ｂ側が起立する場合が含まれる。例えば前述したように、接続用タブ３０における固定部３０ａとそれ以外の部分との境界に折り目を設けておくことで、破断誘導線３５に沿って外層シート１５を破断するだけで、露出した接続用タブ３０の自由端部３０ｂ側が図５及び図６に示すように起立しやすくなる。したがって、このような接続用タブ３０に折り目を有する形態は、「接続用タブ３０を露出又は起立可能になされている」と言える。
【００４６】
本実施形態においては、接続用タブ３０の周縁に沿って破断誘導線３５が設けられている。図５では、外層シート１５における後方部Ｒの接続用タブ３０に対応する部分が破断誘導線３５に沿って除去され、該接続用タブ３０の自由端部３０ｂ側が起立している状態が示されている。前方部Ｆの接続用タブ３０は未使用状態であり、外層シート１５によって被覆されたままとなっている。破断誘導線３５は、典型的には、外層シート１５の坪量ないし強度が周辺部に比して低下した部分であり、具体例としてミシン目を例示できる。ミシン目は周知のとおり、坪量ゼロの部分（貫通孔）が一方向に間欠配置されたものであり、破断誘導線３５として機能し得る。
【００４７】
接続用タブ３０とこれを被覆する外層シート１５とは、互いに接合されていてもよく、接合されていなくてもよく、前者の場合の接合手段としては、ホットメルト接着剤、ヒートシール、超音波シール等の公知の接合手段を利用できる。本実施形態においては、接続用タブ３０とこれを被覆する外層シート１５とが接合されており、且つ該接続用タブ３０は、裏面シート１３に比して縦方向Ｘの引張強度が高い。このように、接続用タブ３０と外層シート１５とが接合されている場合に、接続用タブ３０の縦方向Ｘの引張強度が、接続用タブ３０が固定されている裏面シート３のそれに比して高くなされていることで、例えば前述した破断誘導線３５に沿って外層シート１５を破断する際に、接続用タブ３０が裏面シート３から外れる不都合が効果的に防止される。また、接続用タブ３０は、図１（ｂ）、図５及び図６に示すように、縦方向Ｘの一端側に固定部３０ａ及び他端側に自由端部３０ｂを有しており、このため、接続用タブ３０はその操作時において縦方向Ｘに引っ張られやすいところ、このように裏面シート３との関係で縦方向Ｘの引張強度が相対的に高められていることにより、電気電子機器を接続用タブ３０に接続する際に接続用タブ３０が破断する不都合も防止される。
【００４８】
接続用タブ３０の縦方向Ｘの引張強度は、好ましくは１５Ｎ／１０ｍｍ以上、より好ましくは１８Ｎ／１０ｍｍ以上、更に好ましくは２０Ｎ／１０ｍｍ以上である。接続用タブ３０の縦方向Ｘの引張強度の上限については特に制限は無いが、接続用タブ３０の柔軟性の観点から、好ましくは５０Ｎ／１０ｍｍ以下である。
接続用タブ３０の横方向Ｙの引張強度は、好ましくは８Ｎ／１０ｍｍ以上、より好ましくは１０Ｎ／１０ｍｍ以上、更に好ましくは１２Ｎ／１０ｍｍ以上である。接続用タブ３０の横方向Ｙの引張強度の上限については特に制限は無いが、前記と同様の観点から、好ましくは４０Ｎ／１０ｍｍ以下である。
【００４９】
接続用タブ３０の引張強度は以下の方法により測定される。縦方向Ｘの長さ５０ｍｍ、横方向Ｙの長さ１０ｍｍの平面視長方形形状の接続用タブ３０を測定片とする。引張強度試験機（株式会社オリエンテック製ＲＴＣ-１１５０）の一対のチャック間（初期チャック間距離３０ｍｍ）に測定片を、引張方向が縦方向Ｘとなるようにセットし、速度３００ｍｍ／分で測定片を縦方向Ｘに引っ張り、測定片が破断したときの最大荷重値（Ｎ）を測定し、当該測定片の縦方向Ｘの引張強度とする。接続用タブ３０の横方向Ｙの引張強度については、引張方向を横方向Ｙにする以外は前記と同様に測定することができる。
【００５０】
接続用タブ３０の素材としては、非導電性（絶縁性）のシートが好ましく、例えば、ポリエチレン、ポリプロピレン等のポリオレフィン樹脂からなる樹脂製フィルム、該樹脂製フィルムと紙との積層体を例示できる。
【００５１】
接続用タブ３０の坪量は、実用上十分な強度と操作性とのバランス等の観点から、好ましくは３０ｇ／ｍ２以上、より好ましくは５０ｇ／ｍ２以上、そして、好ましくは１２０ｇ／ｍ２以下、より好ましくは１００ｇ／ｍ２以下である。
また、接続用タブ３０の横方向Ｙの長さすなわち幅は、好ましくは２５ｍｍ以上、より好ましくは３０ｍｍ以上、そして、好ましくは８０ｍｍ以下、より好ましくは７０ｍｍ以下である。
【００５２】
接続用タブ３０の外面（裏面シート１３の非肌対向面との固定領域を有する面とは反対側の面）の色は、裏面シート１３の非肌対向面の色と異なることが好ましい。斯かる構成により、接続用タブ３０の存在が一見してわかるようになり、電気電子機器の接続作業をより一層スムーズに行うことが可能となる。また、本実施形態のように、接続用タブ３０の外面が外層シート１５で被覆されている場合、接続用タブ３０の外面の色は、外層シート１５の色と異なることが好ましい。裏面シート１３及び外層シート１５の色は、典型的には、白色又は白色に近い色であるので、接続用タブ３０の外面の色は、白色以外の色、例えば、赤色、黄色、緑色、黒色などにすることが好ましい。
【００５３】
接続用タブ３０は、図７及び図８に示すように、その外面（裏面シート１３の非肌対向面との固定領域を有する面とは反対側の面）側に折り返された部分を有していてもよい。図７に示す形態では、接続用タブ３０は外面側に１回折り返された部分を有しており、その折り返しによって相対向する接続用タブ３０，３０どうしの間には仮止め剤３１が介在配置されている。図７に示す接続用タブ３０は、その未使用状態においては図７（ａ）に示すように、相対向する接続用タブ３０，３０どうしが仮止め剤３１を介して仮固定されており、これを使用する際には、接続用タブ３０の自由端部３０ｂ側を手指で摘まんで引っ張り上げることで、容易に図７（ｂ）に示す如き状態となる。図７に示す形態では、外層シート１５は破断誘導線３５にて、接続用タブ３０の自由端部３０ｂ側（接続用タブ３０の起立する部分）とそれ以外の部分とに分断されている。また、図８に示す形態では、接続用タブ３０は、固定部３０ａから近い順に、外面側に１回折り返された部分と、内面側に１回折り返された部分とを有しており、接続用タブ３０全体としてＺ字状に折り曲げられている。これら２個の折り返された部分には、それぞれ、相対向する接続用タブ３０，３０どうしを仮止めする仮止め剤３１が介在配置されている。このように、接続用タブ３０がその外面側に折り返された部分を有していると、接続用タブ３０の起立部分が長くなるため、電気電子機器の接続作業をより一層スムーズに行うことが可能となる。仮止め剤３１としては、この種の吸収性物品において部材どうしの仮止めに使用可能なものを特に制限無く用いることができ、例えば粘着剤が挙げられる。
【００５４】
また、図７及び図８に示す形態では、それぞれ、表面シート１２、裏面シート１３及び外層シート１５並びに裏面シート１３の非肌対向面の接続端子部２４ａ,２４ｂそれぞれが、接続用タブ３０よりも縦方向Ｘの外方に延出している。このように、接続用タブ３０に重ねて配置された他の部材が該接続用タブ３０よりも縦方向Ｘの外方に延出していることで、例えば、尿取りパット１の製造工程においてその縦方向Ｘの前後端部をカットする場合に、接続用タブ３０が誤ってカットされる不都合が防止される。
【００５５】
図９及び図１０には、本発明の吸収性物品の他の実施形態が示されている。後述する他の実施形態については、前述した尿取りパッド１と異なる構成部分を主として説明し、同様の構成部分は同一の符号を付して説明を省略する。特に説明しない構成部分は、尿取りパッド１についての説明が適宜適用される。
【００５６】
図９に示す尿取りパッド１Ａにおいては、接続用タブ３０の固定部３０ａが縦方向Ｘの外方側（尿取りパッド１の縦方向Ｘの中央から相対的に遠い側）、自由端部３０ｂが縦方向Ｘの内方側（尿取りパッド１の縦方向Ｘの中央から相対的に近い側）に位置しており、前述した尿取りパッド１とは両端部３０ａ，３０ｂの配置が逆になっている。
【００５７】
また、図９に示す尿取りパッド１Ａにおいては、後方部Ｒの接続用タブ３０が外層シート１５で被覆されているのに対し、前方部Ｆの接続用タブ３０は外層シート１５で被覆されておらず、未使用状態で露出している。後方部Ｒの接続用タブ３０も、前方部Ｆの接続用タブ３０と同様に、未使用状態で露出していてもよい。尿取りパッド１Ａによっても、尿取りパッド１と同様の効果が奏される。
【００５８】
図１０に示す尿取りパッド１Ｂにおいては、接続用タブ３０の平面視において、自由端部３０ｂが縦方向Ｘの前方又は後方に向かって凸の凸状をなしている。より具体的には、尿取りパッド１Ｂにおいては、前方部Ｆの接続用タブ３０の自由端部３０ｂは、縦方向Ｘの外方（尿取りパッド１の縦方向Ｘの中央から離れる方向）に向かって凸の凸状をなし、後方部Ｒの接続用タブ３０の自由端部３０ｂは、縦方向Ｘの内方（尿取りパッド１の縦方向Ｘの中央に向かう方向）に向かって凸の凸状をなしており、両自由端部３０ｂ，３０ｂの凸の頂部が、縦中心線ＣＬ上に位置している。前方部Ｆの接続用タブ３０と後方部Ｒの接続用タブ３０とで、凸の湾曲方向が図１０とは逆の方向であってもよく、同じでもよい。尿取りパッド１Ｂによっても、尿取りパッド１と同様の効果が奏される。特に、接続用タブ３０の自由端部３０ｂが縦方向Ｘの前方又は後方に向かって凸の凸状をなしているため、接続用タブ３０がめくりやすく、電気電子機器の接続作業をより一層スムーズに行うことが可能となる。
【００５９】
以上、本発明をその好ましい実施形態に基づき説明したが、本発明は前記実施形態に何ら制限されるものではなく、本発明の趣旨を逸脱しない範囲で適宜変更可能である。
センサー領域Ｓにおける電極２１等の各部のパターン（平面視形状及び配置）は、図示のパターンに限定されず、センシング領域Ｓ１による尿等の体液の有無の検知等に支障がない範囲で適宜設定可能である。例えば前記実施形態においては、吸収性本体１０の縦方向Ｘの前後端部それぞれに、センサー領域Ｓの接続端子部２４ａ,２４ｂが設けられていたが、どちらか一方のみに設けられていてもよい。接続用タブ３０についても同様である。また、センサー領域Ｓは、電気電子機器としてのセンサーを含んで構成されていてもよく、具体的には例えば、導電性材料２０を含んで構成されるセンサー領域Ｓに、更に電気電子機器としての加速度センサーを取り付けて、排泄の有無の検出とともに、吸収性物品の着用者の姿勢を検出し得る形態としてもよい。
【００６０】
本発明は、尿、経血、便、汗などの体液の吸収に用いられる物品全般に適用することができ、前述した尿取りパッドの如き「インナーとしての吸収性物品」は勿論のこと、展開型の使い捨ておむつ、パンツ型の使い捨ておむつ等の「アウターしての吸収性物品」にも適用可能である。インナーとしての吸収性物品は、アウターとしての吸収性物品の肌対向面（内面）に重ねて使用されるものである。
【符号の説明】
【００６１】
１，１Ａ，１Ｂ  尿取りパッド（吸収性物品）
１０  吸収性本体
１２  表面シート
１３  裏面シート
１４  吸収体
１５  外層シート
Ｓ  センサー領域
Ｓ１  センシング領域１
２０  導電性材料（導電層）
２１  電極
２１ａ  正電極
２１ｂ  負電極
２２ａ  正電極列
２２ｂ  負電極列
２３  導線部
２４ａ,２４ｂ  接続端子部
３０  接続用タブ
３０ａ  固定部
３０ｂ  自由端部
３１  仮止め剤
３５  破断誘導線
【図１】
2020078473.tif 000003
【図２】
2020078473.tif 000004
【図３】
2020078473.tif 000005
【図４】
2020078473.tif 000006
【図５】
2020078473.tif 000007
【図６】
2020078473.tif 000008
【図７】
2020078473.tif 000009
【図８】
2020078473.tif 000010
【図９】
2020078473.tif 000011
【図１０】
2020078473.tif 000012